(57)【特許請求の範囲】
【請求項１】
掃除機本体内の電動送風機の動作により、吸込み口体の吸気口から空気を吸込み、この吸込んだ空気をフィルタに通して塵埃を捕捉し、前記フィルタを通過して前記電動送風機から排出された空気を前記吸気口に戻して、この戻された空気を回収し循環させながら掃除をするとともに、前記電動送風機の上方位置に中空のハンドルが設けられた空気循環式電気掃除機において、
前記ハンドルの根元部内に仕切り壁を複数設けて、これら仕切り壁間に遮熱層を形成したことを特徴とする空気循環式電気掃除機。
【発明の詳細な説明】
【０００１】
【発明の属する技術分野】
本発明は、電動送風機が内蔵された掃除機本体を持って動かすためのハンドルを備える空気循環式電気掃除機に関する。
【０００２】
【従来の技術】
空気循環式電気掃除機は、掃除機本体内の電動送風機の動作により、掃除機本体の接続口に連通された吸込み口体の吸気口から空気を吸込み、この吸込んだ空気をフィルタに通して塵埃を捕捉し、フィルタを通過して電動送風機から排出された空気を吸気口に戻して、この戻された空気を回収し、循環させながら掃除をするものである。
【０００３】
この種の電気掃除機では、電動送風機により加熱された空気が循環するので、掃除機本体の温度が上昇し易く、それに伴い掃除機本体に設けられたハンドルの温度も上昇し易い。しかし、従来において商品化できる程度に開発された空気循環式電気掃除機はいまだ提供されていないので、ハンドルの温度上昇を抑制できるようにした工夫は、従来提案されている空気循環式電気掃除機では知られていない。
【０００４】
また、空気循環式電気掃除機の中には、電動送風機から排出された空気の一部を掃除機本体外に放出するものが提案されており、こうした放出を行う場合には掃除機本体ひいてはハンドルの温度を低下させることができる。
【０００５】
【発明が解決しようとする課題】
ところで、掃除機本体は複数の合成樹脂製ケース部材をねじ止めして形成されるので、そのハンドルも当然合成樹脂製であって、内部は中空に作られる。そのため、空気循環式電気掃除機において、その電動送風機から排出された温度が高い空気がハンドル内を通るようになると、ハンドルの温度が高まってしまうので、使用者の手が握ったハンドルを熱く感じてしまうとともに、手の平に汗をかいた場合にはハンドルから手が滑るおそれも高まり易くなる。そこで、商品化にあたり、こうした点を改善することが望まれている。特に、掃除中殆どの期間にわたりハンドルを握って使用されるハンディ形の空気循環式電気掃除機においては、前記の要請が強い。一方、既述のように電動送風機から排出された温度が高い空気の一部を排出するもので、その排出空気量を増加させれば、ハンドル等の温度上昇を抑制できる。しかし、その代りに循環によって吸込み口体に戻されてその吸気口側に吹出される風の勢いが弱まってしまうので、吸塵能力が低下してしまうという問題がある。
【０００６】
したがって、本発明が解決しようとする課題は、吸塵能力の低下を伴うことなく簡単な構成でハンドルを握った手が熱さを感じることを少なくできる空気循環式電気掃除機を得ることにある。
【０００７】
【課題を解決するための手段】
本発明は、掃除機本体内の電動送風機の動作により、吸込み口体の吸気口から空気を吸込み、この吸込んだ空気をフィルタに通して塵埃を捕捉し、前記フィルタを通過して前記電動送風機から排出された空気を前記吸気口に戻して、この戻された空気を回収し循環させながら掃除をするとともに、前記電動送風機の上方位置に中空のハンドルが設けられた空気循環式電気掃除機を前提とする。
【０００８】
そして、前記課題を解決するために、請求項１の発明は、前記ハンドルの根元部内に仕切り壁を複数設けて、これら仕切り壁間に遮熱層を形成したことを特徴とするものである。
【０００９】
この請求項１の発明において、中空のハンドルの根元部内の複数の仕切り壁は、掃除機本体内とハンドル内との連通を断つので、掃除機本体内に電動送風機から排出される温度が高い空気がハンドル内へ入り込んで対流することを防止する。しかも、これら仕切り壁間に形成された遮熱層は、掃除機本体内の温度が高い空気とハンドル内の空気との熱交換を防止する。したがって、ハンドルの温度上昇を抑制できる。
【００１２】
【発明の実施の形態】
以下、図１〜図１０を参照して本発明の第１の実施の形態を説明する。図１〜図３に示されるように第１の実施の形態に係るハンディ型の空気循環式電気掃除機１１は、掃除機本体１２と、吸込み口体１３とを備えている。
【００１３】
図２〜図４に示されるように掃除機本体１２は、左右一対の合成樹脂製ケース部材をねじ止め等で連結してなる本体ケース２１を有し、この本体ケース２１の前部にはその前傾した前端面に一端が露出する接続口２２が取付けられている。接続口２２は大径部と小径部とを連ねて段付き円筒状をなしている。この接続口２２には吸込み口体１３が着脱自在に挿入して取付けられる。接続口２２の小径部と大径部との境をなす壁面には複数の通気口２２ａが周方向に間隔的に設けられている。
【００１４】
前記両ケース部材の内面にはこれらの部材の連結に伴って先端が互いに当接される所要の仕切りリブが一体に設けられており、これらリブによって本体ケース２１内は、前部の集塵室２４と、後部の排気室２５と、これら集塵室２４、排気室２５の下側にわたって設けられて戻し風路をなす本体ケース２１下部の還流室２６とに仕切られている。
【００１５】
排気室２５の前側に位置された集塵室２４の上面は開口され、この開口は本体ケース２１の前部上側部分に着脱可能に取付けられるケース蓋２７により気密的に閉じられている。ケース蓋２７は、その前端の爪２７ａを本体ケース２１に設けた爪受孔２８に挿入した状態で、この爪受孔２８を支点に下向きに回動させて、後端部に設けた係合凸部２７ｂを、本体ケース２１に設けた半球状の係合凸部受け２９の下側にこの受け２９を上方から乗り越えさせて引掛けることにより、閉蓋状態に取付け保持される。このケース蓋２７は、気密シール用の環状シール３０を有しているとともに、複数本の指を差し入れることができる手掛け孔３１を有している。手掛け孔３１は差し入れた指とともにケース蓋２７を引き上げることにより、この蓋２７を上方に引き外すことができる。
【００１６】
集塵室２４の前壁はフィルタ取付け部３２として形成され、このフィルタ取付け部３２の上端近傍には手動によりばね３３ａの力に抗して図２中矢印方向に回動操作されるフィルタ押さえ３３が取付けられている。集塵室２４に出し入れ可能に収容されるフィルタとしての紙パック製の集塵袋３４は、その口枠３４ａをフィルタ押さえ３３によりフィルタ取付け部３２に取付けることにより集塵室２４に収容されている。集塵室２４の後部には多数の細長い通気孔を有したフィルタ支え３５が収容され、このフィルタ支え３５は掃除動作に伴い膨張した集塵袋３４の後面を支持する。
【００１７】
排気室２５には電動送風機４１がその吸込み口を集塵室２４側に向けて設置されている。なお、４２、４３は電動送風機４１の前後に嵌合された防振パッキンである。排気室２５と集塵室２４との境界部に位置されるリブには前記吸込み口に対向する開口４４が開けられており、それによって集塵室２４内の集塵袋３４を通過した空気が電動送風機４１に吸込まれる。更に、排気室２５には電動送風機４１の後方に位置してユニット化されたコードリール装置４５が収容されている。このコードリール装置４５から本体ケース２１外に引き出される電源コードを介して電動送風機４１等への給電が行われる。
【００１８】
図２〜図４に一部が示されるように電動送風機４１は、固定子と、この固定子の鉄心の一端面にねじ止めされたディフューザと、このディフューザの周部に嵌合して取付けられて前記吸込み口を有したファンカバー５０と、固定子鉄心の他端面にねじ止めされた軸受ブラケット５１と、この軸受ブラケット５１と前記ディフューザとに夫々取付けられた図示しない軸受にわたって回転自在に支持された回転子と、この回転子の回転子軸５２の一端部に連結されて前記ファンカバー５０で覆い隠される遠心ファンと、回転子５２が有する図示しない整流子に弾性的に押付けられるカーボンブラシを有した一対のブラシ装置とを有している。ファンカバー５０の外周面には前記防振パッキン４２が嵌合されている。図４に示されるように軸受ブラケット５１は例えば４本の柱５１ａと、これらにわたって一体に設けられて軸受５１ｂを支持する軸受サポート部５１ｃと、前記柱５１ａの他端部に設けられた固定子鉄心への取付け部とからなり、そのうちの２本の柱５１ａに前記ブラシ装置が取付けられている。
【００１９】
この電動送風機４１の運転時には、その吸込み口から遠心ファンに吸込まれた空気が、このファンの周囲から吐出された後、ファンカバー５０の内面で案内されながらディフューザ内にその外周部の入口から流入し、そして、このディフューザにより静圧化されながら固定子の周囲に向けて流出されるようになっている。
【００２０】
図２及び図３に示されるように電動送風機４１には、その固定子及び軸受ブラケットを覆い隠して合成樹脂等からなる円筒状のモータカバー５３が前記ディフューザの外周部に嵌合して取付けられている。このモータカバー５３の底壁には前記ブラケット５１の軸受サポート部５１ｃが貫通され、このサポート部５１ｃの外面に前記防振パッキン４３が嵌合されている。モータカバー５３の周部には短い筒状の還流ポート５４が外方に向けて一体に突設され、この還流ポート５４は前記両室２４、２５と還流室２６との境界をなした仕切りリブ５５に設けた孔５６に挿通されている。そのため、還流ポート５４を介してモータカバー５３内と還流室２６とは連通されている。図２〜図４に示されるようにモータカバー５３の外周面には減音部材５７が巻き付けられているとともに、これらモータカバー５３と減音部材５７とには互いに連通する１以上の排気通孔５３ａ、５７ａが開けられている。これらの通孔５３ａ、５７ａを介してモータカバー５３内と排気室２５とが連通されている。
【００２１】
図２及び図３中６７は電動送風機４１への通電をオン・オフするスイッチである。又、６６は、電動送風機４１の吸込み側に位置する集塵室２４内の真空圧が所定の値をより下がった時に開いて外気を集塵室２４内に導入するためのリーク弁である。リーク弁６６は本体ケース２１の上部に集塵室２４と本体ケース２１外とを連通する通気路に設けられている。図２中６８はリーク弁６６の上流側に設けられて前記通気路の一部をなす外気取入れ口であり、これは前記手掛け孔３１を介して本体ケース２１の外部と連通されている。
【００２２】
図５等に示されるように排気室２５に臨んだ本体ケース２１の後部側壁には、例えば複数の排気孔を並設してなる排気部６２が設けられ、この排気部６２を通して電動送風機４１から排出される空気の一部を本体ケース２１の外部に逃がすようになっている。排気部６２を通って掃除機本体１２に逃される空気量は、リーク弁６６による最大外気取込み量より多く、言い換えれば、掃除機本体１２外に逃される空気量よりもリーク弁６６による最大外気取込み量が少なくなるように設定されている。
【００２３】
前記本体ケース２１の後部上側には電動送風機４１の上方に位置してハンドル２３が設けられ、このハンドル２３を握持することにより電気掃除機１１全体を片手で持ち動かすことができるとともに、前記握持状態で前方のスイッチ６７を親指で操作できるようになっている。ハンドル２３は、前記ケース部材に一体に形成され、内部は中空に形成されている。
【００２４】
このハンドル２３は、握持部分２３ａと、これから排気室６２にわたる第１、第２の根元部２３ｂ、２３ｃとを有している。前側位置の第１根元部２３ｂと後側位置の第２根元部２３ｃの内部には、排気室６２内に排出される温度が高い空気を原因とする握持部分２３ａの温度上昇を抑制するために以下の昇温抑制手段が夫々講じられている。
【００２５】
すなわち、図２及び図９に示されるように第１根元部２３ｂ内には、複数例えば２枚の仕切り壁１１１、１１２が設けられているとともに、遮熱層１１３が形成されている。同様に、図２及び図１０に示されるように第２根元部２３ｃ内には、複数例えば２枚の仕切り壁１１４、１１５が設けられているとともに、遮熱層１１６が形成されている。
【００２６】
仕切り壁１１１は夫々前記一対のケース部材から一体に突設されて先端が互いに当接し合うリブ状の壁部１１１ａ、１１１ｂからなり、仕切り壁１１２も夫々一対のケース部材から一体に突設されて先端が互いに当接し合うリブ状の壁部１１２ａ、１１２ｂからなる。壁部１１１ａ、１１２ａ間にはこれらにわたってねじ受けボス１１７が一体に形成されているとともに、壁部１１１ｂ、１１２ｂにもこれらにわたって連結ボス１１８が一体に形成されている。第１根元部２３ｂの外面に開口する連結ボス１１８の先端部にはねじ受けボス１１７が嵌合され、この連結ボス１１８を通してねじ受けボス１１７にねじ１１９をねじ込むことにより、前記一対のケース部材は第１根元部２３ｂにおいて連結されている。
【００２７】
同様に、仕切り壁１１４は夫々前記一対のケース部材から一体に突設されて先端が互いに当接し合う壁部１１４ａ、１１４ｂからなり、仕切り壁１１５も夫々一対のケース部材から一体に突設されて先端が互いに当接し合う壁部１１５ａ、１１５ｂからなる。壁部１１５ａの中央部にはねじ受けボス１２０が一体に形成されているとともに、壁部１１５ｂの中央部には連結ボス１２１が一体に形成されている。第２根元部２３ｃの外面に開口する連結ボス１２１の先端部にはねじ受けボス１２０が嵌合され、この連結ボス１１８を通してねじ受けボス１２０にねじ１２２をねじ込むことにより、前記一対のケース部材は第２根元部２３ｂにおいても連結されている。
【００２８】
第１根元部２３ｂの遮熱層１１３は互いに隣接した仕切り壁１１１、１１２間の空気層により形成されている。同様に、第２根元部２３ｃの遮熱層１１６も互いに隣接した仕切り壁１１４、１１５間の空気層により形成されている。
【００２９】
さらに、ハンドル２３の握持部分２３ａにはその表面全体に凹凸１２５（なお、説明の都合上、図１において２点鎖線の平行斜線を交差して付して示す。）が設けられている。この凹凸１２５は例えばしぼ付け加工等により設けられる。加工される凹凸１２５はしぼのように微小であっても、そうでなくてもよく、又、凹凸１２５は握持部分２３ａだけではなくハンドル２３の全表面に設けてもよい。
【００３０】
次に、図６〜図８を参照して前記吸込み口体１３について説明する。吸込み口体１３は、接続部としての接続管７１と、吸込み口体主部７２と、還流吹出し口７３とを備えている。
【００３１】
例えば前記接続口２２に着脱可能に挿入して掃除機本体１２側に連通される接続管７１は、両端が開口された内側接続管７５と、この先端部側に一体かつ同軸的に設けられた外側接続管７６とを有している。
【００３２】
外側接続管７６よりも長い円筒形状の内側接続管７５は、接続口２２の小径部に挿入されて前記口枠３４ａが有するシール弁（図示しない）に当接されて、塵埃を含んだ空気を前記集塵袋３４内に導くようになっている。この内側接続管７５の本体ケース２１外に突出される先端部の開口縁には上下一対のストッパ突縁７７、７８が外向きに突出されている。
【００３３】
短い円筒形状をなすとともに前記先端部の開口縁側に向かうにしたがって次第に小径となるテーパ部を有した外側接続管７６は、接続口２２の大径部に挿入されるもので、その軸方向一端において内側接続管７５との間に還流空気導入口７６ａを形成している。この外側接続管７６の軸方向他端部には前記軸方向に対して直角で互いに外側方向を向いて開口する左右一対の還流空気導出口７６ｂが形成されている。これら還流空気導出口７６ｂの周壁は円環形の枢軸筒部７９をなしている。外側接続管７６の還流空気導入口７６ａ側の外周面には合成ゴム製Ｏリング等の気密シール材８０が取付けられている。
【００３４】
この接続管７１を前記接続口２２に挿入する際には、図２に示されるように外側接続管７６が接続口２２の通気口２２ａが開けられた壁面に当るまで挿入され、この挿入により外側接続管７６が接続口２２の内周面に嵌合されて、この内周面との間の気密を気密シール材８０により確保して本体ケース２１に取付けられる。この取付け状態での外れ止めはゴム製気密シール材８０の摩擦係合力でなされる。前記還流室２６と外側接続管７５の内部とは、接続口２２に取付けられた接続管７１の還流空気導入口７６ａ及びこれと近接して対向する通気口２２ａとを介して連通される。
【００３５】
吸込み口体主部７２は主部上ケース８１と主部下ケース８２とをねじ止めにより連結して形成されている。主部上下両ケース８１、８２の内面にはリブ状をなす一対の軸受板が突設されていて、これらにより前記枢軸筒部７９が上下から挟まれ回動可能に貫通して支持されている。この支持構造により吸込み口体主部７２が接続管７１に対して上下方向に回動可能に枢着され、その回動により被掃除面に対して適正な姿勢を吸込み口体主部７２が得られるようになっている。なお、図６中８５はストッパ突縁７７に接離される上部ストッパ、８６はストッパ突縁７８に接離される下部ストッパであり、これらにより接続管７１に対する吸込み口体主部７２の上下方向に回動角が規制される。
【００３６】
図６に示されるように主部上ケース８１と主部下ケース８２とには、互いに連続して内側接続管７５の先端開口を覆い隠す隔壁８７、８８が設けられていて、下部の隔壁８８の下面は開口されている。吸込み口体主部７２内には、隔壁８７、８８等によって前記内側接続管７５に連通する回収室８９が区画されているとともに、回収室８９をその下面開口を除いて囲む吹出し室９０が区画されている。回収室８９は次に述べる吸気口９２に連通されており、また、吹出し室９０には前記還流空気導出口７６ｂが連通されている。
【００３７】
主部下ケース８２にはその底壁９１に開口する吸気口９２が設けられ、この吸気口９２の中央部分は隔壁８８の下面開口と対向されている。隔壁８８の下端部は他の部分より肉厚となっており、この肉厚端部の下面と底壁９１の内面との間には、回収室８９の一側（本実施の形態では前側）に位置される還流吹出し口７３が形成されている。この還流吹出し口７３からは吹出し室９０内に戻された空気が回収室８９側に向けて吹出される。なお、図６及び図８等において符号９５は主部下ケース８２の前後外側面に夫々取付けられたスペーサ手段をなす回転自在なローラであり、被掃除面と吸気口９２との間に所定の狭い吸込み間隙を形成するようになっている。
【００３８】
次に、前記構成の電気掃除機１１の動作を説明する。この電気掃除機１１は図２に示されるように掃除機本体１２の接続口２２に吸込み口体１３の接続管７１を差込み接続した状態で、ハンドル２３を握持して掃除機１１全体を持ったままで電動送風機４１を運転することにより使用される。
【００３９】
この使用時には、吸込み口体１３の内側接続管７５を通って集塵袋３４に流入した吸気風（図２及び図６中点線矢印で流れ方向示す）中に含まれる塵埃が集塵袋３４に捕捉され、この集塵袋３４を通った空気は、更にフィルタ支え３５を通過して電動送風機４１に吸込まれてから、モータカバー５３の還流ポート５４を通って還流室２６に排出されるとともに、その一部は排気通孔５３ａ及び孔５７ａを通って排気室２５に排出される。
【００４０】
こうして還流室２６に流入した排気は、接続口２２の通気口２２ａから接続管７１の外側接続管７６内に導入されて、この外側接続管７６の還流空気導出口７６ｂから吸込み口体主部７２の吹出し室９０に導出された後、還流吹出し口７３から吸気口９２に吹出されて、接続管７１の内側接続管７５を介して掃除機本体１２側に吸込まれる。こうした風の流れを図２及び図６中実線矢印で示す。このように電動送風機４１から排出された空気を吸込み口体１３で回収し循環させることに伴い、その勢いで吸込み口体１３の吸気口９２に外部の空気が塵埃とともに吸込まれるので、空気循環式の掃除をすることができる。
【００４１】
こうした掃除において電動送風機４１から排出される空気の温度は高く、その一部は既述の排気通孔５３ａ、５７ａを通って排気室２５に排出され、さらに排気部６２を通って掃除機本体１２外に排出される。ところで、掃除作業中殆ど握られている中空のハンドル２３は、電動送風機４１及び排気室２５の上方に設けられているから、これらの熱、取分け排気室２５内に排出された温度が高い空気の影響を受け易いと考えられるが、それにも拘らず、このハンドル２３の温度上昇を低く保持できる。
【００４２】
すなわち、ハンドル２３の第１、第２の根元部２３ｂ、２３ｃ内には夫々２枚の仕切り壁１１１、１１２又は１１４、１１５を設けたから、これらによって掃除機本体１２の排気室２５の内部と中空のハンドル２３の内部との連通を遮断できる。それにより、電動送風機４１で加熱されて排気室２５に排出される温度が高い空気がハンドル２３内へ入り込んで対流することが防止される。しかも、仕切り壁１１１、１１２相互間及び仕切り壁１１４、１１５相互間には、夫々空気断熱を行なう遮熱層１１３及び１１６が形成されているので、これらによって排気室２５内の空気とハンドル２３内の空気との熱交換を防止できる。このように排気室２５内の空気の熱が直接的にハンドル２３に及ぶことが少なく、ハンドル２３は掃除機本体１２をなす前記ケース部材の熱伝導を通してのみ温度上昇されるが、ケース部材は合成樹脂であるので熱伝導性が悪く、かつ、ハンドル２３全体は外気に晒されていて周囲への放熱性がよい。したがって、前記第１、第２の根元部２３ｂ、２３ｃの内部構造によりハンドル２３の握持部分２３ａの温度上昇が抑制され、ハンドル２３を握った手が熱さを感じることを少なくできる。このような感触を得られることは、掃除中殆どの期間にわたりハンドル２３を握って操作をする必要がある本実施形態のハンディ形の空気循環式電気掃除機において、使用時の熱的不快感を低減できる点で特に有効である。
【００４３】
その上、握持部分２３ａに凹凸１２５を設けたから、この凹凸１２５によって握持部分２３ａとこれを握った使用者の手との間に僅かな空気層を形成して、手と握持部分２３ａとの接触面積を少なくできる。そのため、握持部分２３ａから手への熱伝導を抑制し、このことによってもハンドル２３を握った手が熱さを感じることを少なくできる。
【００４４】
そして、ハンドル２３の握持部分２３ａの熱さを極力感じさせない対策として、既述のように根元部２３ｂ、２３ｃ内に遮熱層１１３又は１１６を相互間に形成する仕切り壁１１１、１１２又は仕切り壁１１４、１１５を設けるだけの簡単な構成で実現できるとともに、握持部分２３ａの表面全体に凹凸１２５を設けるだけの簡単な構成でも実現できる。そのため、ハンドル２３への温度の波及を少なくするために、電動送風機４１から排出された温度が高い空気を多量に掃除機本体１２外に放出する必要がないので、それに伴い既述の空気循環に伴う吸込み口体１３の吸気口９２での吸塵能力の低下を伴うことがない。
【００４５】
しかも、握持部分２３ａの表面全体に凹凸１２５を設けたことにより手との引っ掛りがよくなるので、掃除中殆どの期間にわたりハンドル２３を握って操作をするに伴い、手の平に汗をかいた場合でも、手が握持部分２３ａに対して不用意に滑ることを防止できる。
【００４６】
なお、本発明は前記実施の形態には制約されない。例えば、本発明の昇温抑制手段は、ハンドル２３の握持部分２３ａの凹凸１２５を省略して根元部内部の前記遮熱手段だけとすることができる。そして、根元部の遮熱手段が有する遮熱層は多層とできることは勿論のこと、隣接した仕切り壁間に断熱材を収容することにより遮熱性能を高めて実施することもできる。
【００４７】
更に、本発明においてハンドル２３はその両端のうちの一方のみが掃除機本体１２に接続されていてもよい。又、ハンドル２３には掃除機本体１２をなすケース部材とは別体に形成されたものを使用してもよい。
【００４８】
又、本発明は、前記実施の形態に係るハンディ型空気循環式電気掃除機に限らず、キャニスタ型、その他の形式の空気循環式電気掃除機に適用できる。
【００４９】
【発明の効果】
本発明は、以上説明したような形態で実施され、以下に記載されるような効果を奏する。
【００５０】
請求項１に記載の発明に係る空気循環式電気掃除機によれば、掃除機本体内の電動送風機から排出される温度が高い空気が、中空のハンドル内に入り込んで対流することを防止するとともに、掃除機本体内の空気とハンドル内の空気との熱交換を防止して、ハンドルの温度上昇を抑制できるとともに、こうした抑制を得るために電動送風機から排出された空気を多量に掃除機本体外に放出する必要がないので、吸塵能力の低下を伴うことなくハンドルを握った手が熱さを感じることを少なくでき、しかも、こうしたことを相互間に遮熱層を形成する複数の仕切り壁をハンドル根元部内に設けるだけの簡単な構成で実現できる。
【図面の簡単な説明】
【図１】本発明の第１の実施の形態に係る空気循環式電気掃除機全体の構成を掃除機本体と吸込み口体とを分離した状態で示す斜視図。
【図２】図１に示された電気掃除機全体の構成を掃除機本体に吸込み口体が接続された状態で示す縦断側面図。
【図３】図１に示された掃除機本体の構成をその一部を取除いて示す斜視図。
【図４】図２中Ｚ−Ｚ線に沿う断面図。
【図５】図１に示された掃除機本体の後部を示す側面図。
【図６】図１に示された吸込み口体の構成を示す縦断側面図。
【図７】図６に示された吸込み口体の構成をその主部上ケースを取除いた状態で一部を断面して示す平面図。
【図８】図６に示された吸込み口体の構成をやや傾けた状態で示す後面図。
【図９】図２中Ｙ−Ｙ線に沿う断面図。
【図１０】図２中Ｘ−Ｘ線に沿う断面図。
【符号の説明】
１１…電気掃除機、
１２…掃除機本体、
１３…吸込み口体、
２２…接続口、
２２ａ…通気孔、
２３…ハンドル、
２３ａ…ハンドルの握持部分、
２３ｂ、２３ｄ…ハンドルの根元部分、
２４…集塵室、
２５…排気室、
２６…還流室、
３４…集塵袋（フィルタ）、
４１…電動送風機、
５４…還流ポート、
９２…吸気口、
１１１、１１２…仕切り壁、
１１３…遮熱層、
１１４、１１５…仕切り壁、
１１６…遮熱層、
１２５…凹凸。
【図１】
0003542279.tif 000002
【図２】
0003542279.tif 000003
【図３】
0003542279.tif 000004
【図４】
0003542279.tif 000005
【図５】
0003542279.tif 000006
【図６】
0003542279.tif 000007
【図７】
0003542279.tif 000008
【図８】
0003542279.tif 000009
【図９】
0003542279.tif 000010
【図１０】
0003542279.tif 000011